(57)【要約】【課題】燃料電池車のスタックと電気動力部品を冷却させる環境に優しい車用冷却システムを提供する。【解決手段】本発明の環境に優しい車用冷却システムは、電気動力部品を冷却する作動流体とエアコンコンデンサを冷却する作動流体がすべて通過して冷却する統合ラジエータ、前記統合ラジエータの作動流体を前記電気動力部品または前記エアコンコンデンサにポンピングするように前記統合ラジエータと直列に設置されたポンプ、前記統合ラジエータと前記ポンプに対し、前記電気動力部品と前記水冷式エアコンコンデンサを並列に連結する第１分岐管および第２分岐管、および前記冷媒ポンプからの冷媒を前記第１分岐管と第２分岐管に調節して供給するように設置されたバルブ装置、を含んで構成されることを特徴とする。【選択図】図３
2011116347.tif 000002
【特許請求の範囲】
【請求項１】
電気動力部品を冷却する作動流体とエアコンコンデンサを冷却する作動流体がすべて通過して冷却されるようにする統合ラジエータ、
前記統合ラジエータの作動流体を前記電気動力部品または前記水冷式エアコンコンデンサにポンピングするように前記統合ラジエータと直列に設置されたポンプ、
前記統合ラジエータと前記ポンプに対し、前記電気動力部品と前記エアコンコンデンサを並列に連結する第１分岐管および第２分岐管、および
前記ポンプからの作動流体を前記第１分岐管と第２分岐管に調節して供給するように設置されたバルブ装置、
を含んで構成されることを特徴とする環境に優しい車用冷却システム。
【請求項２】
前記第１分岐管の前記電気動力部品の下流に作動流体を加圧式で貯蔵したり、または別途の大気開放式で作動流体を貯蔵するリザーバータンクがさらに備えられること
を特徴とする、請求項１に記載の環境に優しい車用冷却システム。
【請求項３】
電気動力部品を冷却する作動流体とエアコンコンデンサを冷却する作動流体がすべて通過して冷却されるようにする統合ラジエータ、
前記統合ラジエータの作動流体を前記電気動力部品および前記水冷式エアコンコンデンサにポンピングするように前記統合ラジエータと直列に設置されたポンプ、および
前記統合ラジエータと前記ポンプに対し、前記水冷式エアコンコンデンサと電気動力部品を直列に連結して単一閉回路を構成する単一冷媒流動管、
を含んで構成されることを特徴とする環境に優しい車用冷却システム。
【請求項４】
前記エアコンコンデンサは前記単一冷媒流動管で前記電気動力部品の上流に位置するように設置されること
を特徴とする、請求項３に記載の環境に優しい車用冷却システム。
【請求項５】
前記単一冷媒流動管の前記電気動力部品の下流に作動流体を加圧式で貯蔵したり、または別途の大気開放式で作動流体を貯蔵するリザーバータンクがさらに備えられること
を特徴とする、請求項４に記載の環境に優しい車用冷却システム。
【請求項６】
スタックを冷却する作動流体とエアコンコンデンサを冷却する作動流体がすべて通過して冷却されるようにする統合ラジエータ、
前記統合ラジエータの作動流体を前記スタックまたは前記水冷式エアコンコンデンサにポンピングするように前記統合ラジエータと直列に設置されたポンプ、
前記統合ラジエータと前記ポンプに対し、前記スタックと前記水冷式エアコンコンデンサを並列に連結する第１分岐管および第２分岐管、および
前記ポンプからの作動流体を前記第１分岐管と第２分岐管に調節して供給するように設置されたバルブ装置、
を含んで構成されることを特徴とする環境に優しい車用冷却システム。
【請求項７】
前記第１分岐管の前記スタックの下流に作動流体を加圧式で貯蔵したり、または別途の大気開放式で作動流体を貯蔵するリザーバータンクがさらに備えられること
を特徴とする、請求項６に記載の環境に優しい車用冷却システム。
【請求項８】
スタックを冷却する作動流体とエアコンコンデンサを冷却する作動流体がすべて通過して冷却されるようにする統合ラジエータ、
前記統合ラジエータの作動流体を前記スタックおよび前記エアコンコンデンサにポンピングするように前記統合ラジエータと直列に設置されたポンプ、および
前記統合ラジエータと前記ポンプに対し、前記水冷式エアコンコンデンサとスタックを直列に連結して単一閉回路を構成する単一冷媒流動管、
を含んで構成されることを特徴とする環境に優しい車用冷却システム。
【請求項９】
前記水冷式エアコンコンデンサは前記単一冷媒流動管で前記スタックの上流に位置するように設置されること
を特徴とする、請求項８に記載の環境に優しい車用冷却システム。
【請求項１０】
前記単一冷媒流動管の前記スタックの下流に作動流体を加圧式で貯蔵したり、または別途の大気開放式で作動流体を貯蔵するリザーバータンクがさらに備えられること
を特徴とする、請求項９に記載の環境に優しい車用冷却システム。
【請求項１１】
前記ポンプは前記統合ラジエータと前記バルブ装置の間に設置され、前記統合ラジエータからの作動流体を前記バルブ装置側にポンピングするように設置されること
を特徴とする、請求項１または６に記載の環境に優しい車用冷却システム。
【請求項１２】
前記ポンプは前記統合ラジエータと前記水冷式エアコンコンデンサの間に設置され、前記統合ラジエータからの作動流体を前記水冷式エアコンコンデンサ側にポンピングするように設置されること
を特徴とする、請求項３または８に記載の環境に優しい車用冷却システム。
【請求項１３】
前記統合ラジエータはスタックのみを冷却するためのスタック用ラジエータの前方に位置し、
冷却ファンは前記スタック用ラジエータの後方に位置し、冷却風が前記統合ラジエータを通過した後に前記スタック用ラジエータを通過するように設置されること
を特徴とする、請求項１または３に記載の環境に優しい車用冷却システム。
【請求項１４】
前記統合ラジエータは電気動力部品のみを冷却するための電気動力部品用ラジエータの後方に位置し、
前記冷却ファンは前記統合ラジエータの後方に位置し、冷却風が前記電気動力部品用ラジエータを通過した後に前記統合ラジエータを通過するように設置されること
を特徴とする、請求項６または８に記載の環境に優しい車用冷却システム。
【請求項１５】
前記統合ラジエータは電気動力部品のみを冷却するための電気動力部品用ラジエータの上側に並列に位置すること
を特徴とする、請求項６または８に記載の環境に優しい車用冷却システム。
【請求項１６】
流動する作動流体を貯蔵するリザーバータンクが少なくとも１つ以上備えられること
を特徴とする、請求項１、３、６、８のいずれか一項に記載の環境に優しい車用冷却システム。
【請求項１７】
前記統合ラジエータはスタックのみを冷却するためのスタック用ラジエータと一体に構成され、作動流体の流路のみが分離するように構成されること
を特徴とする、請求項１または３に記載の環境に優しい車用冷却システム。
【請求項１８】
前記統合ラジエータは電気動力部品のみを冷却するための電気動力部品用ラジエータと一体に構成され、作動流体の流路のみが分離するように構成されること
を特徴とする、請求項６または８に記載の環境に優しい車用冷却システム。
【発明の詳細な説明】
【技術分野】
【０００１】
本発明は環境に優しい車用冷却システムに関し、より詳しくは、燃料電池車のスタックと電気動力部品を冷却させる技術に関する。
【背景技術】
【０００２】
燃料電池は大気汚染物質をほぼ排出せず、二酸化炭素の発生も少なくて無公害発電であるという長所があり、従来の火力発電などに比べて高い発電効率を有しているため、このような燃料電池を動力源として用いる環境に優しい車両の開発が活発になされている。
【０００３】
一方、ハイブリッド車は、車の走行状況に応じてモータとエンジンの動力を適切に車の駆動に用いることができるようにするものであって、前記モータによる車駆動の技術は前記燃料電池車に必須な技術となる。
【０００４】
前記モータによる車の駆動には、前記モータの作動による放熱とインバータでの電流の相変換による放熱が問題となる。
【０００５】
したがって、燃料電池車では、前記モータおよびインバータなどの電気動力部品の冷却および前記燃料電池をなすスタックの効果的な冷却が必須な技術的課題となる。
特許文献１参照。
【０００６】
図１は、従来の燃料電池車の冷却システムを説明したもので、電気動力部品の冷却のために別途のウォーターポンプとリザーバータンクおよびラジエータでなされる冷却回路と、スタックの冷却のための別途のウォーターポンプとリザーバータンクおよびラジエータでなされる冷却回路を備えており、これと共にエアコンの冷却のために空冷式エアコンコンデンサを前記２つのラジエータの間に位置させて冷却ファンで冷却させる構成である。
【０００７】
また、図２の冷却システムは、前記エアコンコンデンサの冷却を水冷式で構成したもので、この場合には前記水冷式エアコンコンデンサに冷却水を循環させるためのウォーターポンプとリザーバータンクおよびエアコン冷媒冷却用ラジエータでなされる別途の冷却回路を備え、前記エアコン冷媒冷却用ラジエータを前記スタック用ラジエータと電気動力部品用ラジエータの間に配置し、冷却ファンで冷却させる構成である。
【０００８】
上述したような従来の冷却システムは、図１の場合、空冷式エアコンコンデンサが前記電気動力部品用ラジエータとスタック用ラジエータに対して通気抵抗を増加させる要因として作用するため、冷却性能を十分に確保し難いという側面がある。特に、前記電気動力部品とスタックは既存の内燃機関に比べて低い温度で運転され、電熱量が内燃機関の３倍大きくてそれぞれ高容量のラジエータが必要となるが、ラジエータの厚さを増加させることは通気抵抗の増加を来すため、これを最適化する技術が必要な状況である。
【０００９】
一方、前記図２の場合には、スタックと電気動力部品およびエアコンコンデンサのためのそれぞれの冷却回路を構成することによってウォーターポンプとリザーバなどの部品が過度に多く必要とされ、車の重量、体積、原価の側面において悪影響を与えるという問題点を有している。
【先行技術文献】
【特許文献】
【００１０】
【特許文献１】特開２００４−２３４９０２号公報
【発明の概要】
【発明が解決しようとする課題】
【００１１】
本発明は前記のような点に鑑みてなされたものであって、本発明の目的はスタックと電気動力部品を冷却させるためのラジエータの通気抵抗を最小化し、スタックと電気動力部品およびエアコンコンデンサの円滑かつ安定した冷却性能を確保できるようにして、ウォーターポンプとリザーバータンクなどの部品が過度に多く必要とされないようにすることにより、車の重量、当該部品が占める体積、および原価を節減できるようにした環境に優しい車用冷却システムを提供することにある。
【課題を解決するための手段】
【００１２】
前記目的を達成するための本発明は、電気動力部品を冷却する作動流体とエアコンコンデンサを冷却する作動流体がすべて通過して冷却されるようにする統合ラジエータ、前記統合ラジエータの作動流体を前記電気動力部品または前記エアコンコンデンサにポンピングするように前記統合ラジエータと直列に設置されたポンプ、前記統合ラジエータと前記ポンプに対し、前記電気動力部品と前記水冷式エアコンコンデンサを並列に連結する第１分岐管および第２分岐管、および前記冷媒ポンプからの冷媒を前記第１分岐管と第２分岐管に調節して供給するように設置されたバルブ装置、を含んで構成されることを特徴とする。
【００１３】
また、本発明に係る環境に優しい車用冷却システムは、電気動力部品を冷却する作動流体とエアコンコンデンサを冷却する作動流体がすべて通過して冷却されるようにする統合ラジエータ、前記統合ラジエータの作動流体を前記電気動力部品および前記水冷式エアコンコンデンサにポンピングするように前記統合ラジエータと直列に設置されたポンプ、および前記統合ラジエータと前記ポンプに対し、前記水冷式エアコンコンデンサと電気動力部品を直列に連結して単一閉回路を構成する単一冷媒流動管、を含んで構成されることを特徴とする。
【００１４】
また、本発明に係る環境に優しい車用冷却システムは、スタックを冷却する作動流体とエアコンコンデンサを冷却する作動流体がすべて通過して冷却されるようにする統合ラジエータ、前記統合ラジエータの作動流体を前記スタックまたは前記水冷式エアコンコンデンサにポンピングするように前記統合ラジエータと直列に設置されたポンプ、前記統合ラジエータと前記ポンプに対し、前記スタックと前記水冷式エアコンコンデンサを並列に連結する第１分岐管および第２分岐管、および前記ポンプからの作動流体を前記第１分岐管と第２分岐管に調節して供給するように設置されたバルブ装置、を含んで構成されることを特徴とする。
【００１５】
また、本発明に係る環境に優しい車用冷却システムは、スタックを冷却する作動流体とエアコンコンデンサを冷却する作動流体がすべて通過して冷却されるようにする統合ラジエータ、前記統合ラジエータの作動流体を前記スタックおよび前記水冷式エアコンコンデンサにポンピングするように前記統合ラジエータと直列に設置されたポンプ、および前記統合ラジエータと前記ポンプに対し、前記水冷式エアコンコンデンサとスタックを直列に連結して単一閉回路を構成する単一冷媒流動管、を含んで構成されることを特徴とする。
【発明の効果】
【００１６】
本発明は、スタックと電気動力部品を冷却させるためのラジエータの通気抵抗を最小化し、スタックと電気動力部品およびエアコンコンデンサの円滑かつ安定した冷却性能を確保できるようにして、ウォーターポンプとリザーバータンクなどの部品が過度に多く必要とされないようにすることにより、車の重量、当該部品が占める体積、および原価を節減できるようにする。
【図面の簡単な説明】
【００１７】
【図１】従来技術に係る環境に優しい車用冷却システムの実施形態をそれぞれ示す図である。
【図２】従来技術に係る環境に優しい車用冷却システムの実施形態をそれぞれ示す図である。
【図３】本発明に係る環境に優しい車用冷却システムの実施形態をそれぞれ示す図である。
【図４】本発明に係る環境に優しい車用冷却システムの実施形態をそれぞれ示す図である。
【図５】本発明に係る環境に優しい車用冷却システムの実施形態をそれぞれ示す図である。
【図６】本発明に係る環境に優しい車用冷却システムの実施形態をそれぞれ示す図である。
【発明を実施するための形態】
【００１８】
図３を参照すれば、本発明の第１実施形態は、電気動力部品を冷却する作動流体と水冷式エアコンコンデンサを冷却する作動流体がすべて通過して冷却されるようにする統合ラジエータ、前記統合ラジエータの作動流体を前記電気動力部品または前記水冷式エアコンコンデンサにポンピングするように前記統合ラジエータと直列に設置されたポンプ、前記統合ラジエータと前記ポンプに対し、前記電気動力部品と前記水冷式エアコンコンデンサを並列に連結する第１分岐管１および第２分岐管２、および前記ポンプからの作動流体を前記第１分岐管１と第２分岐管２に調節して供給するように設置されたバルブ装置５、を含んで構成される。
【００１９】
すなわち、従来の別途に構成されていた水冷式エアコンコンデンサを冷却するためのラジエータを電気動力部品を冷却させるためのラジエータと統合して１つの単一統合ラジエータで構成し、この統合ラジエータで冷却された冷却水を前記バルブ装置５を介して前記第１分岐管１および第２分岐管２に適切に調節して供給できるように構成した。
【００２０】
勿論、スタックは別途の冷却回路を構成しているため、図に示すように、スタック用ラジエータと冷媒ポンプおよびリザーバータンクを含んでなされた冷却回路を有している。
【００２１】
前記統合ラジエータはスタックのみを冷却するための前記スタック用ラジエータの前方に位置し、冷却ファンは前記スタック用ラジエータの後方に位置し、冷却風が前記統合ラジエータを通過した後に前記スタック用ラジエータを通過するように設置されているが、これは前記スタックの作動温度が相対的に高いため、冷却風が前記電気動力部品とエアコンコンデンサのための統合ラジエータを先に冷却した後に前記スタック用ラジエータを冷却するようにした。
【００２２】
また、前記統合ラジエータは前記スタック用ラジエータと一体に構成され、作動流体の流路のみが分離するように構成することもできる。
【００２３】
前記ポンプは前記統合ラジエータと前記バルブ装置５の間に設置され、前記統合ラジエータからの作動流体を前記バルブ装置５側にポンピングするように設置されており、前記第１分岐管１の前記電気動力部品の下流には作動流体を貯蔵するリザーバータンクが備えられており、この他に前記第２分岐管２に別途のリザーバータンクが追加で備えられる構成も可能であり、前記第１分岐管１と第２分岐管２が合流した後に１つのリザーバータンクのみ装着される構成も可能である。
【００２４】
前記バルブ装置５は流量制御バルブなどで構成し、前記第１分岐管１に流動する作動流体の流量と第２分岐管２に流動する作動流体の流量を独立的に制御できるようにすることにより、前記電気動力部品とエアコンの負荷によって供給される作動流体の流量を調節し、必要時に水冷式エアコンシステムの熱負荷を減らすことにより、前記電気動力部品の冷却性能を向上させることができる。
【００２５】
また、エアコンの負荷が最も大きくなる外気高温状態の低速走行またはアイドリング状態のような場合には電気動力部品の熱負荷が相対的に小さいため、このような場合には前記水冷式エアコンコンデンサに流入する冷却水温を低くして、エアコン圧力の低減または電動コンプレッサの圧縮を縮小させることにより、究極的に燃費向上に寄与するようにもできる。
【００２６】
さらに、上述したようなシステムでは、従来の電気動力部品用の冷却回路と水冷式エアコンコンデンサ用の冷却回路が別途に備えられた場合に比べ、ポンプの所要個数が低減し、リザーバータンクの数量も低減させることができ、車の重量低減、エンジンルームの空間確保が可能となり、究極的には車の原価を低減させることができる。
【００２７】
また、上述したような統合ラジエータは、従来の電気動力装置用ラジエータよりも容量が大きくなり、それ自体の通気抵抗は多少増加するが、従来の空冷式エアコンコンデンサやエアコン冷媒冷却用ラジエータを別途で備えることによって通気抵抗が増加する量よりは小さくなるので、通気抵抗低減による冷却効率向上も期待できる。
【００２８】
図４は本発明の第２実施形態を示すもので、電気動力部品を冷却する作動流体とエアコンコンデンサを冷却する作動流体がすべて通過して冷却されるようにする統合ラジエータ、前記統合ラジエータの冷媒を前記電気動力部品および前記水冷式エアコンコンデンサにポンピングするように前記統合ラジエータと直列に設置されたポンプ、および前記統合ラジエータと前記ポンプに対し、前記水冷式エアコンコンデンサと電気動力部品を直列に連結して単一閉回路を構成する単一冷媒流動管７、を含んで構成される。
【００２９】
すなわち、前記第１実施形態が並列型で構成されたことに比べ、本実施形態は直列型で構成されたものであり、前記統合ラジエータを通過した作動流体が前記ポンプによってポンピングされ前記水冷式エアコンコンデンサと電気動力部品を順に冷却するようにした。
【００３０】
前記ポンプは前記統合ラジエータと前記水冷式エアコンコンデンサの間に設置され、前記統合ラジエータからの作動流体が前記水冷式エアコンコンデンサ側にポンピングするように設置されている。
【００３１】
また、前記エアコンコンデンサは前記単一冷媒流動管７で前記電気動力部品の上流に位置するように設置され、前記単一冷媒流動管７の前記電気動力部品の下流には作動流体を貯蔵するリザーバータンクが備えられている。
【００３２】
これは、前記水冷式エアコンコンデンサの作動温度が前記電気動力部品よりも低いため、前記作動流体が前記エアコンコンデンサを先に冷却させた後、前記電気動力部品を冷却させるようにするためである。
【００３３】
本実施形態では、前記電気動力部品の運転温度に応じて前記エアコンの作動流体を圧縮させる電動コンプレッサの回転数を低く調節してエアコンシステムの熱負荷を減らすことにより、前記電気動力部品の冷却性能を向上させることができる。
【００３４】
また、エアコンの負荷が最も大きくなる外気高温状態の低速走行またはアイドリング状態のような場合には電気動力部品の熱負荷が相対的に小さいため、このような場合には前記水冷式エアコンコンデンサに流入する冷却水温を低くして、エアコン圧力の低減または電動コンプレッサの圧縮を縮小させることにより、究極的に燃費向上に寄与するようにもできる。
【００３５】
前記統合ラジエータも前記スタックのみを冷却するスタック用ラジエータと一体に構成し、作動流体の流路のみが分離するように構成することもできる。
【００３６】
図５は本発明に係る第３実施形態を示すもので、スタックを冷却する作動流体と水冷式エアコンコンデンサを冷却する作動流体がすべて通過して冷却されるようにする統合ラジエータ、前記統合ラジエータの冷媒を前記スタックまたは前記水冷式エアコンコンデンサにポンピングするように前記統合ラジエータと直列に設置されたポンプ、前記統合ラジエータと前記ポンプに対し、前記スタックと前記水冷式エアコンコンデンサを並列に連結する第１分岐管１および第２分岐管２、および前記ポンプからの冷媒を前記第１分岐管１と第２分岐管２に調節して供給するように設置されたバルブ装置５、を含んで構成される。
【００３７】
すなわち、従来に別途に構成されていた水冷式エアコンコンデンサを冷却するためのラジエータをスタックを冷却させるためのラジエータと統合して１つの単一統合ラジエータで構成し、この統合ラジエータで冷却された作動流体を前記バルブ装置５を介して前記第１分岐管１および第２分岐管２に適切に調節して供給できる構成とした。
【００３８】
勿論、電気動力部品は別途の冷却回路を構成しているため、図に示すように、電気動力部品用ラジエータとポンプおよびリザーバータンクを含む冷却回路を有する。
【００３９】
前記統合ラジエータは電気動力部品のみを冷却するための前記電気動力部品用ラジエータの後方に位置し、冷却ファンは前記統合ラジエータの後方に位置し、冷却風が前記電気動力装置用ラジエータを通過した後に前記統合ラジエータを通過するように設置されているが、これは前記スタックの作動温度が相対的に高いため、冷却風が前記電気動力部品用ラジエータを先に冷却した後に前記統合ラジエータを冷却するように構成するためである。
【００４０】
また、前記統合ラジエータは前記電気動力部品用ラジエータと一体に構成され、作動流体の流路のみが分離するように構成することもできる。
【００４１】
前記ポンプは前記統合ラジエータと前記バルブ装置５の間に設置され、前記統合ラジエータからの作動流体を前記バルブ装置５側にポンピングするように設置されており、前記第１分岐管１の前記スタックの下流には作動流体を貯蔵するリザーバータンクが備えられており、この他に前記第２分岐管２に別途のリザーバータンクが追加で備えられる構成も可能であり、前記第１分岐管１と第２分岐管２が合流した後に１つのリザーバータンクのみ装着される構成も可能である。
【００４２】
前記バルブ装置５は流量制御バルブなどで構成し、前記第１分岐管１に流動する作動流体の流量と第２分岐管２に流動する作動流体の流量を独立的に制御できるようにすることにより、前記スタックの運転温度に応じて前記エアコンコンデンサに供給される作動流体の流量を調節し、エアコンシステムの熱負荷を減らすことにより、前記スタックの冷却性能を向上させることができる。
【００４３】
また、エアコンの負荷が最も大きくなる外気高温状態の低速走行またはアイドリング状態のような場合にはスタックの熱負荷が相対的に小さいため、このような場合には前記水冷式エアコンコンデンサに流入する冷却水温を低くして、エアコン圧力の低減または電動コンプレッサの圧縮を縮小させることにより、究極的に燃費向上に寄与するようにもできる。
【００４４】
さらに、上述したようなシステムでは、従来のスタック用冷却回路と水冷式エアコンコンデンサ用冷却回路が別途で備えられた場合に比べ、ポンプの所要個数が低減し、リザーバータンクの数量も低減させることができ、車の重量低減、エンジンルームの空間確保が可能となり、究極的に車両の原価を低減させることができる。
【００４５】
また、上述したような統合ラジエータは、従来のスタック用ラジエータよりも容量が大きくなり、それ自体の通気抵抗は多少増加するが、従来の空冷式エアコンコンデンサやエアコン冷媒冷却用ラジエータを別途で備えることによって通気抵抗が増加する量よりは小さくなるため、通気抵抗低減による冷却効率向上も期待できる。
【００４６】
図６は本発明に係る第４実施形態を示すもので、スタックを冷却する作動流体と水冷式エアコンコンデンサを冷却する作動流体がすべて通過して冷却されるようにする統合ラジエータ、前記統合ラジエータの冷媒を前記スタックおよび前記水冷式エアコンコンデンサにポンピングするように前記統合ラジエータと直列に設置されたポンプ、および前記統合ラジエータと前記ポンプに対し、前記水冷式エアコンコンデンサとスタックを直列に連結して単一閉回路を構成する単一冷媒流動管７、を含んで構成される。
【００４７】
すなわち、前記第３実施形態が並列型で構成されたことに比べ、本実施形態は直列型で構成されたもので、前記統合ラジエータを通過した作動流体が前記ポンプによってポンピングされて前記水冷式エアコンコンデンサとスタックを順に冷却するようにした。
【００４８】
前記ポンプは前記統合ラジエータと前記水冷式エアコンコンデンサの間に設置され、前記統合ラジエータからの作動流体を前記水冷式エアコンコンデンサ側にポンピングするように設置されている。
【００４９】
また、前記水冷式エアコンコンデンサは前記単一冷媒流動管７で前記スタックの上流に位置するように設置され、前記単一冷媒流動管７の前記スタックの下流には作動流体を貯蔵するリザーバータンクが備えられている。
【００５０】
これは、前記水冷式エアコンコンデンサの作動温度が前記スタックよりも低いため、前記冷媒が前記エアコンコンデンサを先に冷却させた後に前記スタックを冷却させるようにするためである。
【００５１】
本実施形態では、前記スタックの運転温度に応じて前記エアコンの冷媒を圧縮させる電動コンプレッサの回転数を低く調節してエアコンシステムの電熱量を減らすことにより、前記スタックの冷却性能を向上させることができる。
【００５２】
また、エアコンの負荷が最も大きくなる外気高温状態の低速走行またはアイドリング状態のような場合にはスタックの熱負荷が相対的に小さいため、このような場合には前記水冷式エアコンコンデンサに流入する冷却水温を低くして、エアコン圧力の低減または電動コンプレッサの圧縮を縮小させることにより、究極的に燃費向上に寄与するようにもできる。
【００５３】
前記統合ラジエータも前記電気動力部品のみを冷却するための電気動力部品用ラジエータと一体に構成し、作動流体の流路のみが分離するように構成することもできる。
【００５４】
また、前記第３実施形態と第４実施形態では、前記電気動力部品のみを冷却するための電気動力部品用ラジエータを統合ラジエータの前方に配置したり並列に配置することもできる。
【産業上の利用可能性】
【００５５】
本発明は環境に優しい車用冷却システムに関し、燃料電池車のスタックと電気動力部品を冷却させる分野に適用できる。
【符号の説明】
【００５６】
１  ・・・第１分岐管
２  ・・・第２分岐管
５  ・・・バルブ装置
７  ・・・単一冷媒流動管
【図１】
2011116347.tif 000003
【図２】
2011116347.tif 000004
【図３】
2011116347.tif 000005
【図４】
2011116347.tif 000006
【図５】
2011116347.tif 000007
【図６】
2011116347.tif 000008